(57)【要約】      （修正有）【課題】複数の表示手段のうち何れかの表示手段に表示情報を表示できない事象が発生した場合であっても当該表示情報を適切に処理することのできる情報処理装置等を提供する。【解決手段】第１表示手段に第１表示情報を出力し、第２表示手段に第２表示情報を出力する情報処理装置であって、第１表示手段における、第１表示情報を表示できない事象を検出した場合、第１表示情報を、第２表示手段に出力する。【選択図】図４
2016182872.tif 000002
【特許請求の範囲】
【請求項１】
第１表示手段に第１表示情報を出力し、第２表示手段に第２表示情報を出力する情報処理装置であって、
前記第１表示手段における、前記第１表示情報を表示できない事象を検出する検出手段と、
前記事象が検出された場合、前記第１表示情報を、前記第２表示手段に出力する出力制御手段と、
を備える情報処理装置。
【請求項２】
請求項１に記載の情報処理装置であって、
前記第１表示情報には、当該第１表示情報を前記第２表示情報より優先して表示することを示す第１表示優先順位情報と、前記第１表示手段の次に前記第２表示手段に当該第１表示情報を出力することを示す出力先優先順位情報と、が関連付けられており、
前記出力制御手段は、前記事象が検出された場合に、前記第１表示優先順位情報と前記出力先優先順位情報とに基づき、前記第２表示手段に前記第１表示情報を出力する情報処理装置。
【請求項３】
請求項２に記載の情報処理装置であって、
前記第２表示情報には、前記第１表示情報を当該第２表示情報より優先して表示することを示す第２表示優先順位情報が関連付けられており、
前記出力制御手段は、前記事象が検出された場合、前記第１表示優先順位と前記第２表示優先順位と前記出力先優先順位情報とを参照し、前記第２表示情報が出力されている前記第２表示手段に、前記第１表示情報を出力する情報処理装置。
【請求項４】
請求項１乃至３の何れか一項に記載の情報処理装置であって、
前記事象が検出された場合、前記出力制御手段は、前記第１表示情報を、前記第２表示情報とともに、前記第２表示手段に出力する情報処理装置。
【請求項５】
請求項１乃至３の何れか一項に記載の情報処理装置であって、
前記事象が検出された場合、前記出力制御手段は、前記第２表示情報に代えて、前記第１表示情報を、前記第２表示手段に出力する情報処理装置。
【請求項６】
請求項１乃至５の何れか一項に記載の情報処理装置であって、
前記事象が検出された場合、前記出力制御手段は、前記第１表示情報と前記第２表示情報との少なくとも一方の表示形態を変更して出力することを特徴とする情報処理装置。
【請求項７】
第１表示手段に第１表示情報を出力し、第２表示手段に第２表示情報を出力する情報処理装置による情報処理方法であって、
前記第１表示手段における、前記第１表示情報を表示できない事象を検出する検出工程と、
前記事象が検出された場合、前記第１表示情報を、前記第２表示手段に出力する出力制御工程と、
を含む情報処理方法。
【請求項８】
第１表示手段に第１表示情報を出力し、第２表示手段に第２表示情報を出力する情報処理装置に含まれるコンピュータを、
前記第１表示手段における、前記第１表示情報を表示できない事象を検出する検出手段、
前記事象が検出された場合、前記第１表示情報を、前記第２表示手段に出力する出力制御手段、
として機能させる情報処理プログラム。
【請求項９】
第１表示手段に第１表示情報を出力し、第２表示手段に第２表示情報を出力する情報処理装置に含まれるコンピュータを、
前記第１表示手段における、前記第１表示情報を表示できない事象を検出する検出手段、
前記事象が検出された場合、前記第１表示情報を、前記第２表示手段に出力する出力制御手段、
として機能させる情報処理プログラムを記録したコンピュータ読み取り可能な記録媒体。
【発明の詳細な説明】
【技術分野】
【０００１】
本願は、複数のディスプレイの制御を行う情報処理装置等の技術分野に関する。
【背景技術】
【０００２】
特許文献１には、複数の表示手段を設けた場合に、当該複数の表示手段に、それぞれ異なる画像データを表示することができる車載器制御ユニット、ナビゲーションユニット及び画像制御装置について開示されている。
【先行技術文献】
【特許文献】
【０００３】
【特許文献１】特開２０１２−１６７９８４号公報
【発明の概要】
【発明が解決しようとする課題】
【０００４】
しかしながら、特許文献１に記載の技術では、複数の表示手段のうち、何れかの表示手段に表示情報を表示できない事象が発生したとき（例えば、表示手段が故障したときや表示中の表示情報より優先して表示すべき表示情報が新たに検出されたとき）には、表示できなくなった表示情報をどのようにするかについて考慮されていない。例えば、表示情報が移動体の移動に重要な情報（例えば速度情報）である場合には、移動体の安全な移動に支障をきたすおそれもある。
【０００５】
本願発明は、こうした事情に鑑み、複数の表示手段のうち何れかの表示手段に表示情報を表示できない事象が発生した場合であっても当該表示情報を適切に処理することのできる情報処理装置等を提供することを課題とする。
【課題を解決するための手段】
【０００６】
請求項１に記載の発明は、第１表示手段に第１表示情報を出力し、第２表示手段に第２表示情報を出力する情報処理装置であって、前記第１表示手段における、前記第１表示情報を表示できない事象を検出する検出手段と、前記事象が検出された場合、前記第１表示情報を、前記第２表示手段に出力する出力制御手段と、を備える。
【０００７】
請求項７に記載の発明は、第１表示手段に第１表示情報を出力し、第２表示手段に第２表示情報を出力する情報処理装置による情報処理方法であって、前記第１表示手段における、前記第１表示情報を表示できない事象を検出する検出工程と、前記事象が検出された場合、前記第１表示情報を、前記第２表示手段に出力する出力制御工程と、を含む。
【０００８】
請求項８に記載の発明は、第１表示手段に第１表示情報を出力し、第２表示手段に第２表示情報を出力する情報処理装置に含まれるコンピュータを、前記第１表示手段における、前記第１表示情報を表示できない事象を検出する検出手段、前記事象が検出された場合、前記第１表示情報を、前記第２表示手段に出力する出力制御手段、として機能させる。
【０００９】
請求項９に記載の発明は、第１表示手段に第１表示情報を出力し、第２表示手段に第２表示情報を出力する情報処理装置に含まれるコンピュータを、前記第１表示手段における、前記第１表示情報を表示できない事象を検出する検出手段、前記事象が検出された場合、前記第１表示情報を、前記第２表示手段に出力する出力制御手段、として機能させる情報処理プログラムを記録したコンピュータ読み取り可能な記録媒体である。
【図面の簡単な説明】
【００１０】
【図１】情報処理装置１のブロック図である。
【図２】表示制御システムＳのブロック図である。
【図３】重要度情報及び表示先優先度情報の一例を示す図である。
【図４】表示制御システムＳの動作例を示すフローチャートである。
【発明を実施するための形態】
【００１１】
本願発明を実施するための形態について、図１を用いて説明する。
【００１２】
図１に示すように、情報処理装置１は検出手段１１１Ａと、出力制御手段１１１Ｂと、を備えている。出力制御手段１１１Ｂは、第１表示手段２と第２表示手段３に接続されており、原則的に、第１表示手段２に第１表示情報を出力し、第２表示手段３に第２表示情報を出力する。
【００１３】
検出手段１１１Ａは、第１表示手段２における、第１表示情報を表示できない事象を検出する。第１表示情報を表示できない事象（以下、「表示不可事象」という場合がある）とは、例えば、第１表示手段２の故障や、第１表示手段２に第１表示情報より優先して表示すべき表示情報が発生すること等である。
【００１４】
出力制御手段１１１Ｂ、検出手段１１１Ａにより表示不可事象が検出された場合、第１表示情報を、第２表示手段３に出力する。
【００１５】
以上説明した通り、本実施形態に係る情報処理装置１の動作によれば、第１表示手段２において第１表示情報を表示できない事象が発生した場合であっても、第１表示情報を第２表示手段３に表示させることができることから、第１表示情報が重要な情報であった場合でも非表示とならず、適切に表示させることができる。
【００１６】
また、第１表示情報には、当該第１表示情報を第２表示情報より優先して表示することを示す第１表示優先順位情報と、第１表示手段２の次に第２表示手段３に当該第１表示情報を出力することを示す出力先優先順位情報と、が関連付けられており、出力制御手段１１１Ｂは、検出手段１１１Ａにより表示不可事象が検出された場合に、第１表示優先順位情報と出力先優先順位情報とに基づき、第２表示手段３に第１表示情報を出力する。すなわち、第１表示情報が関連付けられた第１表示優先順位情報及び出力先優先順位情報に基づいて第１表示情報を第２表示手段３に出力することができる。
【００１７】
更に、第２表示情報には、第１表示情報を当該第２表示情報より優先して表示することを示す第２表示優先順位情報が関連付けられており、出力制御手段１１１Ｂは、検出手段１１１Ａにより表示不可事象が検出された場合、第１表示優先順位と第２表示優先順位と出力先優先順位情報とを参照し、第２表示情報が出力されている第２表示手段３に、第１表示情報を出力する。すなわち、第１表示情報が関連付けられた第１表示優先順位情報及び出力先優先順位情報と、第２表示情報に関連付けられた第２表示優先順位情報に基づいて第１表示情報を第２表示手段３に出力することができる。
【００１８】
更にまた、検出手段１１１Ａにより表示不可事象が検出された場合、出力制御手段１１１Ｂは、第１表示情報を、第２表示情報とともに、第２表示手段３に出力する場合がある。これにより、第１表示手段２において第１表示情報を表示できない事象が発生した場合であっても、第１表示情報を第２表示情報とともに第２表示手段３に表示させる。すなわち、第１表示情報及び第２表示情報が重要な情報であった場合でも両方の表示情報を表示させることができる。
【００１９】
更にまた、検出手段１１１Ａにより表示不可事象が検出された場合、出力制御手段１１１Ｂは、第２表示情報に代えて、第１表示情報を、第２表示手段に出力する場合がある。これにより、第１表示手段２において第１表示情報を表示できない事象が発生した場合であっても、第１表示情報を第２表示情報に代えて第２表示手段３に表示させることができる。すなわち、第１表示情報が重要な情報であった場合でも表示させることができる。
【００２０】
更にまた、検出手段１１１Ａにより表示不可事象が検出された場合、出力制御手段１１１Ｂは、第１表示情報と第２表示情報との少なくとも一方の表示形態を変更して出力する場合がある。これにより、第１表示手段２において第１表示情報を表示できない事象が発生し第１表示情報を第２表示手段３に表示させる場合に、第１表示情報と第２表示情報との少なくとも一方の表示形態を第２表示手段３に適した表示形態に変更する。すなわち、第１表示情報を第２表示手段に表示させるのに適した表示形態で表示させることができる。
【実施例】
【００２１】
次に、上述した実施形態に対応する具体的な実施例について説明する。
【００２２】
図２−図４を用いて実施例について説明する。なお以下に説明する実施例は、本願発明を、車両内において複数のディスプレイの表示制御を行う表示制御システムＳに適用した場合の実施例である。
【００２３】
［１．表示制御システムＳの構成］
図２に示すように、本実施例の表示制御システムＳは、制御部３１１、記憶部３１２、操作部３１３、ナビゲーション用ディスプレイ３１４Ａ、ヘッドアップディスプレイ（ＨＵＤ）３１４Ｂ、メーター用ディスプレイ３１４Ｃ、エアコン用ディスプレイ３１４Ｄ、ナビゲーション装置３１５、メーター制御装置３１６、エアコン制御装置３１７、バスライン３２１及び入出力インターフェース３２２を含んで構成されている。制御部３１１は、ナビゲーション用ディスプレイ３１４Ａ、ＨＵＤ３１４Ｂ、メーター用ディスプレイ３１４Ｃ、エアコン用ディスプレイ３１４Ｄ、ナビゲーション装置３１５、メーター制御装置３１６及びエアコン制御装置３１７とバスライン３２１及び入出力インターフェース３２２を介して接続されている。
【００２４】
ナビゲーション装置３１５は、地図や目的地までの経路を示す地図情報や、走行中のレーン及び推奨走行レーンを示す走行レーン情報をユーザに提示する。通常時、地図情報は表示情報としてナビゲーション用ディスプレイ３１４Ａに表示され、走行レーン情報は表示情報としてＨＵＤ３１４Ｂに表示される。
【００２５】
メーター制御装置３１６は、スピードメータ、方向指示表示灯、タコメーター、燃料メーター、水温メーター等のいわゆるメーターパネルに表示するメーター情報を車両から取得し、ユーザに提示する。通常時、メーター情報は表示情報としてメーター用ディスプレイ３１４Ｃに表示される。
【００２６】
エアコン制御装置３１７は、車内エアコンの制御を行う装置であり、エアコンの運転状況を示すエアコン情報（設定温度、運転種類（暖房・冷房・ドライ等）、送風強度等を示す情報）をユーザに提示する。通常時、エアコン情報は表示情報としてエアコン用ディスプレイ３１４Ｄに表示される。
【００２７】
制御部３１１は、ナビゲーション装置３１５、メーター制御装置３１６、エアコン制御装置３１７から地図情報、走行レーン情報、メーター情報、エアコン情報を取得し、通常時であれば、地図情報をナビゲーション用ディスプレイ３１４Ａに出力し、走行レーン情報をＨＵＤ３１４Ｂに出力し、メーター情報をメーター用ディスプレイ３１４Ｃに出力し、エアコン情報をエアコン用ディスプレイ３１４Ｄに出力する。また、制御部３１１は、何れかのディスプレイに故障が発生した場合には、後述する重要度情報、出力先優先度情報に基づいて、各表示情報を何れのディスプレイに表示させるか（或いは表示させないか）を決定して出力する。
【００２８】
記憶部３１２は、例えばハードディスクドライブ等により構成されており、ＯＳ（Operating System）、表示制御プログラム等の各種プログラムや、各種データを記憶する。
【００２９】
また、記憶部３１２は、ナビゲーション装置３１５から入力された地図情報や走行レーン情報、メーター制御装置３１６から入力されたメーター情報、エアコン制御装置３１７から入力されたエアコン情報等のディスプレイに表示する表示情報を記憶する。また、記憶部３１２は、表示情報毎に重要度情報、出力先優先度情報を関連付けて記憶する。重要度情報は、表示情報間での重要度を示す数値情報であり、数値が小さいほど重要度が高いことを示す。また、出力先優先度情報は、関連付けられている表示情報を表示する際の、ディスプレイ間での表示先優先度を示す情報である。重要度情報及び出力先優先度情報は予め表示制御システムＳのメーカー側で設定しておくこととしてもよいし、ユーザが設定できるようにしてもよい。
【００３０】
ここで、図３を用いて重要度情報、出力先優先度情報について具体的に説明する。図３は、重要度情報、出力先優先度情報の一例を示す図である。
【００３１】
本実施形態では、地図情報の重要度を示す数値として「４」が設定され、走行レーン情報の重要度を示す数値として「２」が設定され、メーター情報の重要度を示す数値として「１」が設定され、エアコン情報の重要度を示す数値として「３」が設定されている。すなわち、表示情報を重要度の高い方から順に並べると、メーター情報、走行レーン情報、エアコン情報、地図情報となる。
【００３２】
地図情報を表示する際のディスプレイ間での表示先優先度を示す情報としてナビゲーション用ディスプレイ３１４Ａが設定されている。地図情報には、ナビゲーション用ディスプレイ３１４Ａしか設定されていないことから、その他のディスプレイに表示されることはない。
【００３３】
走行レーン情報を表示する際のディスプレイ間での表示先優先度を示す情報としてＨＵＤ３１４Ｂ→エアコン用ディスプレイ３１４Ｄ→ナビゲーション用ディスプレイ３１４Ａ→メーター用ディスプレイ３１４Ｃが設定されている。すなわち、表示先優先順位は高い方から順に、ＨＵＤ３１４Ｂ、エアコン用ディスプレイ３１４Ｄ、ナビゲーション用ディスプレイ３１４Ａ、メーター用ディスプレイ３１４Ｃとなる。走行レーン情報は、ＨＵＤ３１４Ｂに表示できない場合には、エアコン用ディスプレイ３１４Ｄ→ナビゲーション用ディスプレイ３１４Ａ→メーター用ディスプレイ３１４Ｃの順に表示可能か後述する障害時表示制御処理により判断される。
【００３４】
メーター情報を表示する際のディスプレイ間での表示先優先度を示す情報としてメーター用ディスプレイ３１４Ｃ→ＨＵＤ３１４Ｂ→エアコン用ディスプレイ３１４Ｄ→ナビゲーション用ディスプレイ３１４Ａが設定されている。すなわち、表示先優先順位は高い方から順に、メーター用ディスプレイ３１４Ｃ、ＨＵＤ３１４Ｂ、エアコン用ディスプレイ３１４Ｄ、ナビゲーション用ディスプレイ３１４Ａとなる。メーター情報は、メーター用ディスプレイ３１４Ｃに表示できない場合には、ＨＵＤ３１４Ｂ→エアコン用ディスプレイ３１４Ｄ→ナビゲーション用ディスプレイ３１４Ａの順に表示可能かが障害時表示制御処理により判断される。
【００３５】
エアコン情報を表示する際のディスプレイ間での表示先優先度を示す情報としてエアコン用ディスプレイ３１４Ｄが設定されている。エアコン情報には、エアコン用ディスプレイ３１４Ｄしか設定されていないことから、その他のディスプレイに表示されることはない。
【００３６】
操作部３１３は、例えば、キーボード、マウス等により構成されており、オペレータからの操作指示を受け付け、その指示内容を指示信号として制御部３１１に出力するようになっている。また、本実施形態の操作部３１３は、ナビゲーション用ディスプレイ３１４Ａ、ＨＵＤ３１４Ｂ、メーター用ディスプレイ３１４Ｃ、エアコン用ディスプレイ３１４Ｄの何れかに表示情報が表示されない障害が発生した場合に、当該障害が発生しているディスプレイを示す操作を受け付け、制御部３１１に出力する。これにより、制御部３１１は、表示情報が表示されない障害が発生したこと、及び当該障害が発生しているディスプレイを検出することができる。
【００３７】
制御部３１１は、ＣＰＵ（Central Processing Unit）、ＲＯＭ（Read Only Memory）、ＲＡＭ（Random Access Memory）等により構成されている。そして、ＣＰＵが、ＲＯＭや記憶部３１２に記憶された各種プログラムを読み出し実行することにより各種機能を実現する。
【００３８】
［２．表示制御システムＳの動作例］
次に、図６のフローチャートを用いて、表示制御システムＳによる障害時表示制御処理について説明する。
【００３９】
まず、表示制御システムＳの制御部３１１は、表示情報が表示されない障害が発生したことを検出するまで待機しており（ステップＳ１１：ＮＯ）、障害が発生したことを検出すると（ステップＳ１１：ＹＥＳ）、次いで、障害が発生したディスプレイに出力していた表示情報に次候補ディスプレイがあるか否かを判定する（ステップＳ１２）。具体的には、障害が発生したディスプレイに出力していた表示情報と関連付けられている表示先優先度情報（図３）を参照し、障害が発生したディスプレイの次に表示するディスプレイが設定されているか否かを判定する。図３の例では、地図情報には、ナビゲーション用ディスプレイ３１４Ａの次に表示するディスプレイが設定されていないことから「ＮＯ」判定となり、走行レーン情報にはＨＵＤ３１４Ｂの次に表示するディスプレイとしてエアコン用ディスプレイ３１４Ｄが設定されていることから「ＹＥＳ」判定となる。
【００４０】
制御部３１１は、次候補ディスプレイがないと判定した場合には（ステップＳ１２：ＮＯ）、ステップＳ１１の処理に移行する。一方、制御部３１１は、次候補ディスプレイがあると判定した場合には（ステップＳ１２：ＹＥＳ）、障害が発生したディスプレイに出力していた表示情報を表示先検索候補Ａとする（ステップＳ１３）。
【００４１】
次に、制御部３１１は、表示先検索候補Ａの次候補ディスプレイに表示している表示情報を比較対象Ｂとする（ステップＳ１４）。
【００４２】
次に、制御部３１１は、表示先検索候補Ａの重要度が比較対象Ｂの重要度より高いか否かを判定する（ステップＳ１５）。具体的には、表示先検索候補Ａである表示情報と関連付けられている重要度情報（図３）の示す重要度と、比較対象Ｂである表示情報と関連付けられている重要度情報の示す重要度を比較する。
【００４３】
次に、制御部３１１は、表示先検索候補Ａの重要度が比較対象Ｂの重要度より高くないと判定した場合には（ステップＳ１５：ＮＯ）、ステップＳ１８の処理に移行する。
【００４４】
一方、表示先検索候補Ａの重要度が比較対象Ｂの重要度より高いと判定した場合には（ステップＳ１５：ＹＥＳ）、次いで、比較対象Ｂである表示情報を表示しているディスプレイを表示先検索候補Ａである表示情報の新たな出力先ディスプレイに決定する（ステップＳ１６）。
【００４５】
次に、制御部３１１は、比較対象Ｂである表示情報を新たな表示先検索候補Ａとする（ステップＳ１７）。
【００４６】
次に、制御部３１１は、表示先検索候補Ａに次候補ディスプレイがあるか否かを判定する（ステップＳ１８）。制御部３１１は、表示先検索候補Ａに次候補ディスプレイがあると判定した場合には（ステップＳ１８：ＹＥＳ）、ステップＳ１４の処理に移行する。一方、制御部３１１は、表示先検索候補Ａに次候補ディスプレイがないと判定した場合には（ステップＳ１８：ＮＯ）、ステップＳ１６の処理で決定した表示情報と出力先ディスプレイの対応を設定する（ステップＳ１９）。すなわち、ステップＳ１８の処理で「ＮＯ」と判定されるまで、ステップＳ１４の処理からステップＳ１８の処理が繰り返されるので、その間にステップＳ１６の処理で決定した表示情報と出力先ディスプレイの対応を全て設定する。制御部３１１は、ステップＳ１９の処理で設定した対応関係に従って、表示情報を各ディスプレイに表示させる。制御部３１１はステップＳ１９の処理を終えると、次いで、ステップＳ１１の処理に移行する。
【００４７】
次に、メーター用ディスプレイ３１４Ｃに障害が発生し、メーター用ディスプレイ３１４Ｃにメーター情報を表示できなくなった場合について、上記フローチャートに従って説明する。
【００４８】
まず、制御部３１１が、メーター用ディスプレイ３１４Ｃに障害が発生したことを検知すると（ステップＳ１１：ＹＥＳ）、メーター情報に次候補ディスプレイがあるか否かを判定する（ステップＳ１２）。図３を参照すると、メーター情報にはメーター用ディスプレイ３１４Ｃの次候補ディスプレイとしてＨＵＤ３１４Ｂが設定されているので、「ＹＥＳ」判定をし、次いで、メーター情報を表示先検索候補Ａとする（ステップＳ１３）。次に、次候補ディスプレイであるＨＵＤ３１４Ｂに現在出力している走行レーン情報を比較対象Ｂとする（ステップＳ１４）。次に、表示先検索候補Ａ（メーター情報）の重要度と比較対象Ｂ（走行レーン情報）の重要度を比較する（ステップＳ１５）。図３を参照すると、表示先検索候補Ａ（メーター情報）の重要度が比較対象Ｂ（走行レーン情報）の重要度より高いことから、「ＹＥＳ」判定をし、次いで、比較対象Ｂ（走行レーン情報）を表示しているＨＵＤ３１４Ｂを、表示先検索候補Ａ（メーター情報）の新たな出力先ディスプレイに決定する（ステップＳ１６）。次いで、比較対象Ｂ（走行レーン情報）を新たな表示先検索候補Ａとする（ステップＳ１７）。次に、表示先検索候補Ａ（走行レーン情報）に次候補ディスプレイがあるか否かを判定する（ステップＳ１８）。図３を参照すると、走行レーン情報にはＨＵＤ３１４Ｂの次候補ディスプレイとしてエアコン用ディスプレイ３１４Ｄが設定されているので、「ＹＥＳ」判定をし、次いで、表示先検索候補Ａ（走行レーン情報）の次候補ディスプレイであるエアコン用ディスプレイ３１４Ｄに現在出力しているエアコン情報を比較対象Ｂとする（ステップＳ１４）。
【００４９】
次に、表示先検索候補Ａ（走行レーン情報）の重要度と比較対象Ｂ（エアコン情報）の重要度を比較する（ステップＳ１５）。図３を参照すると、表示先検索候補Ａ（エアコン情報）の重要度が比較対象Ｂ（エアコン情報）の重要度より高いことから、「ＹＥＳ」判定をし、次いで、比較対象Ｂ（エアコン情報）を表示しているエアコン用ディスプレイ３１４Ｄを、表示先検索候補Ａ（走行レーン情報）の新たな出力先ディスプレイに決定する（ステップＳ１６）。次いで、比較対象Ｂ（エアコン情報）を新たな表示先検索候補Ａとする（ステップＳ１７）。次に、表示先検索候補Ａ（エアコン情報）に次候補ディスプレイがあるか否かを判定する（ステップＳ１８）。図３を参照すると、エアコン情報にはエアコン用ディスプレイ３１４Ｄの次候補ディスプレイが設定されていないので、「ＮＯ」判定をし、ステップＳ１６の処理で決定した内容に従い、メーター情報の新たな出力先をＨＵＤ３１４Ｂに設定し、走行レーン情報の新たな出力先をエアコン用ディスプレイ３１４Ｄに設定する。
【００５０】
このように、メーター用ディスプレイ３１４Ｃに障害が発生した場合、メーター用ディスプレイ３１４Ｃに表示されていたメーター情報はＨＵＤ３１４Ｂに表示され、ＨＵＤ３１４Ｂに表示されていた走行レーン情報はエアコン用ディスプレイ３１４Ｄに表示されることとなる。すなわち、重要度情報と表示先優先度情報を適切に設定することにより、メーター用ディスプレイ３１４Ｃに障害が発生したとしてもメーター情報が運転者に一切提示されなくなるという事態を回避することができる。
【００５１】
以上説明したように、本実施例に係る表示制御システムＳの制御部３１１（「検出手段」、「出力制御手段」の一例）は、メーター用ディスプレイ３１４Ｃ（「第１表示手段」の一例）における、メーター情報（「第１表示情報」の一例）を表示できない事象を検出し、当該事象が検出された場合、メーター情報を、ＨＵＤ３１４Ｂ（「第２表示手段」の一例）に出力する。
【００５２】
したがって、本実施例に係る表示制御システムＳによれば、メーター用ディスプレイ３１４Ｃにおいてメーター情報を表示できない事象が発生した場合であっても、メーター情報をＨＵＤ３１４Ｂに表示させることができることから、メーター情報が重要な情報であった場合でも非表示とならず、適切に表示させることができる。
【００５３】
また、メーター情報には、当該メーター情報を走行レーン情報（「第２表示情報」の一例）より優先して表示することを示す重要度情報（「第１表示優先順位情報」の一例）と、メーター用ディスプレイ３１４Ｃの次にＨＵＤ３１４Ｂに当該メーター情報を出力することを示す表示先優先度情報（「出力先優先順位情報」の一例）と、が関連付けられており、制御部３１１は、メーター用ディスプレイ３１４Ｃにおける、メーター情報を表示できない事象が検出された場合に、重要度情報と表示先優先度情報とに基づき、ＨＵＤ３１４Ｂにメーター情報を出力する。すなわち、メーター情報が関連付けられた重要度情報及び表示先優先度情報に基づいてメーター情報をＨＵＤ３１４Ｂに出力することができる。
【００５４】
更に、走行レーン情報には、メーター情報を当該走行レーン情報より優先して表示することを示す重要度情報（「第２表示優先順位情報」の一例）が関連付けられており、制御部３１１は、メーター用ディスプレイ３１４Ｃにおける、メーター情報を表示できない事象が検出された場合に、メーター情報に関連付けられている重要度情報と走行レーン情報に関連付けられている重要度情報と、表示先優先度情報とを参照し、走行レーン情報が出力されているＨＵＤ３１４Ｂに、メーター情報を出力する。すなわち、メーター情報が関連付けられた重要度情報及び表示先優先度情報と、走行レーン情報が関連付けられた重要度情報に基づいてメーター情報をＨＵＤ３１４Ｂに出力することができる。
【００５５】
更にまた、メーター用ディスプレイ３１４Ｃにおける、メーター情報を表示できない事象が検出された場合に、制御部３１１は、走行レーン情報に代えて、メーター情報を、ＨＵＤ３１４Ｂに出力する。これにより、メーター用ディスプレイ３１４Ｃにおいてメーター情報を表示できない事象が発生した場合であっても、メーター情報を走行レーン情報に代えてＨＵＤ３１４Ｂに表示させることができる。すなわち、メーター情報が重要な情報であった場合でも表示させることができる。
【００５６】
［３．変形例］
次に、上記実施例の変形例について説明する。なお、以下に説明する変形例は適宜組み合わせることができる。
【００５７】
［３．１．変形例１］
上記実施例では、何れかのディスプレイに障害が発生して表示情報を表示できない場合に、他のディスプレイに表示させるための制御について説明したが、一のディスプレイに表示していた表示情報を他のディスプレイに表示させる契機は、一のディスプレイの障害に限られない。例えば、運転手の携帯電話に着信があり、着信者の情報を一のディスプレイに表示する必要があり、その際に一のディスプレイに表示していた表示情報を表示することができなくなった事象を制御部３１１が検知した場合に、当該表示情報を他のディスプレイに表示させるための制御を行うこととしてもよい。すなわち、図４のステップＳ１１では、何れかのディスプレイにおいて表示情報を表示できない事象を検知したか否かを判定することとしてもよい。
【００５８】
［３．２．変形例２］
上記実施例では、何れかのディスプレイに障害が発生して表示情報を表示できない場合に、他のディスプレイに表示させ、その際、他のディスプレイに表示されていた表示情報は更に他のディスプレイに表示できるか判定するといったように、一のディスプレイには一の表示情報を表示する場合について説明したが、一のディスプレイに障害が発生した場合に、一のディスプレイに表示していた表示情報を他のディスプレイにおいて、当該他のディスプレイに表示されていた表示情報とともに表示させることとしてもよい。例えば、制御部３１１は、メーター用ディスプレイ３１４Ｃにおいてメーター情報を表示できない事象が発生した場合に、メーター情報を、走行レーン情報とともに、ＨＵＤ３１４Ｂに出力する。これにより、メーター用ディスプレイ３１４Ｃにおいてメーター情報を表示できない事象が発生した場合であっても、メーター情報を走行レーン情報とともにＨＵＤ３１４Ｂに表示させる。すなわち、メーター情報及び走行レーン情報が重要な情報であった場合でも両方の表示情報を表示させることができる。
【００５９】
［３．３．変形例３］
上記実施例では、メーター用ディスプレイ３１４Ｃにおいてメーター情報を表示できない事象が発生した場合に、メーター情報を、ＨＵＤ３１４Ｂに出力する場合について説明したが、この場合、メーター情報の表示形態を変更してもよい。また、変形例２のようにＨＵＤ３１４Ｂにメーター情報とともに走行レーン情報を表示する場合には、メーター情報と走行レーン情報の少なくとも何れか一方の表示形態を変更してもよい。例えば、制御部３１１は、メーター用ディスプレイ３１４Ｃにおいてメーター情報を表示できない事象を検知した場合に、メーター情報と走行レーン情報との少なくとも一方の表示形態を変更して出力する。これにより、メーター用ディスプレイ３１４Ｃにおいてメーター情報を表示できない事象が発生しメーター情報をＨＵＤ３１４Ｂに表示させる場合に、メーター情報と走行レーン情報との少なくとも一方の表示形態をＨＵＤ３１４Ｂに適した表示形態に変更することができる。例えば、表示情報の表示面積を小さくするために表示内容を簡略化（メーター情報の場合にアナログ表示をデジタル表示に変更）することができる。
【００６０】
［３．４．変形例４］
上記実施例では、ユーザがディスプレイに障害が発生したことを発見した場合に、障害が発生したこと、及び当該障害が発生しているディスプレイを操作部３１３から入力することにより、制御部３１１は障害の発生を検知することとしたが、これに代えて、その他の手法で障害の発生を検知することとしてもよい。例えば、表示情報伝送経路としてＧＶＩＦ（登録商標）（Gigabit. Video InterFace）を使用する場合、ＧＶＩＦの送信側／受信側制御ＩＣ間の通信異常を検知することとしてもよい。また、ディスプレイが液晶ディスプレイである場合には、液晶ディスプレイのバックライトが切れたことを光センサで検知することとしてもよい。更に、起動画面等の決められた表示パターンをカメラで撮影し画像処理して検知することとしてもよい。
【００６１】
［３．５．変形例５］
また、例えば、制御部３１１が、メーター用ディスプレイ３１４Ｃにおいてメーター情報を表示できない事象を検知し、メーター情報をナビゲーション用ディスプレイ３１４Ａに表示することを決定した場合には、それまでナビゲーション用ディスプレイ３１４Ａに対する操作を検出していたとしても、当該操作を検出しないようにしてもよい。これはメーター情報が操作により非表示となったり、表示内容が変更されてしまったりと、安全上支障をきたすおそれがある。そこで、操作を受け付けなくすることを示す操作無効情報を表示情報と関連付けて記憶させておき、制御部３１１は、操作無効情報が関連付けられている表示情報については、新たな出力先においても操作を検出しないこととしてもよい。また、重要度の高い表示情報について、新たな出力先においても操作を検出しないことを示す操作無効情報を表示情報と関連付けて記憶させておくこととしてもよい。
【００６２】
［３．６．変形例６］
図３に示した重要度及び表示先優先度情報は、条件によって切り替えることとしてもよい。例えば、車両が停車している場合と走行時とで重要度及び表示先優先度情報を別の設定とすることとしてもよい。例えば、停車中の表示情報の重要度を、高い方から順に地図情報、エアコン情報、メーター情報、走行レーン情報として、新たに記憶部３１２に記憶させることとしてもよい。このように、走行時に重要度の高いメーター情報、走行レーン情報の重要度を低くし、他の表示情報の重要度を高くすることにより、停車中には、他の表示情報を優先して表示させることができる。
【００６３】
また、停車中はナビゲーション用ディスプレイ３１４Ａを注視しても安全上問題となることは少ないので、他のディスプレイより画面の大きなナビゲーション用ディスプレイ３１４Ａ（ナビゲーション用ディスプレイ３１４Ａが他のディスプレイよりも画面が大きいと仮定する）を、各表示情報の表示先優先度において１位や２位などの上位に設定することとしてもよい。これにより、ナビゲーション用ディスプレイ３１４Ａ以外のディスプレイに障害が発生した場合であっても、当該障害が発生したディスプレイに表示されていた表示情報を、画面の大きなナビゲーション用ディスプレイ３１４Ａに表示させることができる。
【符号の説明】
【００６４】
１  情報処理装置
１１１Ａ  検出手段
１１１Ｂ  出力制御手段
２  第１表示手段
３  第２表示手段
Ｓ  表示制御システム
３１１  制御部
３１２  記憶部
３１３  操作部
３１４Ａ  ナビゲーション用ディスプレイ
３１４Ｂ  ＨＵＤ
３１４Ｃ  メーター用ディスプレイ
３１４Ｄ  エアコン用ディスプレイ
３１５  ナビゲーション装置
３１６  メーター制御装置
３１７  エアコン制御装置
３２１  バスライン
３２２  入出力インターフェース
【図１】
2016182872.tif 000003
【図２】
2016182872.tif 000004
【図３】
2016182872.tif 000005
【図４】
2016182872.tif 000006